(57)【要約】【課題】ワイヤーハーネスの筐体への取付けが容易であるとともに防水性に優れ、ワイヤーハーネスも含めた筐体の前後方向の寸法が小さくすることができる防水カメラの筐体構造を提供する。【解決手段】押さえ板８が防水パッキン７を介してワイヤーハーネス６に固定されたケーブル保持部材６ｃをリアケース３に固定しており、ワイヤーハーネス６の先端のコネクタ６ａとリード線６ｂとは、挿通孔３ａを挿通してリアケース３の内部に配置されている。挿通孔３ａの防水パッキン７と接する側の出口全周縁には突部３ｃが設けられており、この突部３ｃが防水パッキン７にくい込んでいるため、防水性を向上させることができる。【選択図】  図４
2004294612.tif 000002
【特許請求の範囲】
【請求項１】
筐体が前後に分割され、前面にレンズカバーが装着されたフロントケースと、背面に備えられた挿通孔にワイヤーハーネスが挿通されて固定されるリアケースと、前記フロントケースとリアケースとに挟持される防水用のパッキンとからなる防水カメラの筐体構造において、
前記リアケースの背面に、側面から底面に連なって前記挿通孔が備えられた凹部を設け、同凹部に、前記ワイヤーハーネスが挿通され、前記挿通孔を一方の側面で覆い、前記凹部と対応する板状の矩形部を他方の両側面に備えた弾性体からなる防水パッキンが装着され、同防水パッキンは、前記凹部と対応する押さえ板と前記凹部の底面とで挟持されて前記リアケースの背面に固定されてなることを特徴とする防水カメラの筐体構造。
【請求項２】
前記凹部側の前記挿通孔の全周縁に突部を設けてなることを特徴とする請求項１記載の防水カメラの筐体構造。
【請求項３】
前記ワイヤーハーネスに挿通されて固定されるとともに、前記防水パッキンに隣接してケーブル保持部材を配設し、同ケーブル保持部材と前記防水パッキンとが前記押さえ板で前記リアケースに固定されてなることを特徴とする請求項１または請求項２に記載の防水カメラの筐体構造。
【請求項４】
前記リアケースに、一端が前記凹部の側面に連なるとともに、前記ワイヤーハーネスと対応する溝を設けてなることを特徴とする請求項１乃至請求項３のいずれかに記載の防水カメラの筐体構造。
【発明の詳細な説明】
【０００１】
【発明の属する技術分野】
本発明は、防水カメラの筐体構造に係わり、より詳細には、筐体内から外部に引き出されるケーブルの取付け構造に関する。
【０００２】
【従来の技術】
従来、防水カメラの筐体構造は図５に示すように、レンズと制御基板とからなるカメラ３０と、同カメラ３０の後部を収容する後部ケーシング１７と、カメラ３０の前部を収容する前部ケーシング１８と、シール材１６と、前部ケーシング１８を前部から覆う透明な樹脂からなるカバー体１２とから構成されている。
この筐体にジョイント部材６０を一端に備え、他端にカメラ３０に接続されるコネクタ１０ａを備えたワイヤーハーネス１０がＯリング１９を介して固定ねじ１３により、後部ケーシング１７の背面に備えられた雌ねじ部１４に螺着されるようになっている。
カバー体１２は、シール材１６を介して後部ケーシング１７に固定されるため、防水性が確保される構造となっている。また、接着材により固定ねじ１３がワイヤーハーネス１０に固定され、この固定ねじ１３と後部ケーシング１７との間には、Ｏリング１９が配置されているため、ワイヤーハーネス１０からの水の浸入を防ぐ構造になっている（例えば、特許文献１参照。）。
【０００３】
しかしながら、接着材により固定ねじ１３がワイヤーハーネス１０に固定される構造であるため、水密性を確保するためには慎重な接着作業が必要であり、作業性が悪いという問題があった。さらに、防水性を高めるためにはＯリングと固定ねじのフランジ部分の直径を大きくしなければならないため、筐体の構造によっては適用できない場合もあり、防水性をある程度犠牲にする場合もあった。
また、このような構造は筐体に対してワイヤーハーネス１０が垂直に固定される構造であり、ワイヤーハーネス１０も含めた筐体の前後方向の寸法が大きくなってしまうとういう問題もあった。
【０００４】
【特許文献１】
特開２００１−１１１８７４号公報  （第３−４頁、第３図）
【０００５】
【発明が解決しようとする課題】
本発明は以上述べた問題点を解決し、ワイヤーハーネスの筐体への取付けが容易であるとともに防水性に優れ、ワイヤーハーネスも含めた筐体の前後方向の寸法が小さくすることができる防水カメラの筐体構造を提供することを目的としている。
【０００６】
【課題を解決するための手段】
本発明は、上記問題点を解決するため、筐体が前後に分割され、前面にレンズカバーが装着されたフロントケースと、背面に備えられた挿通孔にワイヤーハーネスが挿通されて固定されるリアケースと、前記フロントケースとリアケースとに挟持される防水用のパッキンとからなる防水カメラの筐体構造において、前記リアケースの背面に、側面から底面に連なって前記挿通孔が備えられた凹部を設け、同凹部に、前記ワイヤーハーネスが挿通され、前記挿通孔を一方の側面で覆い、前記凹部と対応する板状の矩形部を他方の両側面に備えた弾性体からなる防水パッキンが装着され、同防水パッキンは、前記凹部と対応する押さえ板と前記凹部の底面とで挟持されて前記リアケースの背面に固定される構造とする。
【０００７】
また、前記凹部側の前記挿通孔の全周縁に突部を設けてなる構造とする。
【０００８】
また、前記ワイヤーハーネスに挿通されて固定されるとともに、前記防水パッキンに隣接してケーブル保持部材を配設し、同ケーブル保持部材と前記防水パッキンとが前記押さえ板で前記リアケースに固定されてなる構造とする。
【０００９】
また、前記リアケースに、一端が前記凹部の側面に連なるとともに、前記ワイヤーハーネスと対応する溝を設けてなる構造とする。
【００１０】
【発明の実施の形態】
以下、図面に基づいて本発明による防水カメラの筐体構造を詳細に説明する。
図１は本発明による防水カメラの筐体構造の一実施例を示す分解斜視図である。
防水カメラは、レンズやＣＣＤ（Ｃｈａｒｇｅ−Ｃｏｕｐｌｅｄ  Ｄｅｖｉｃｅｓ）基板及び電源基板が一体に組み立てられた基板ユニット１と、前面にレンズカバー２ａが装着され、アルミダイキャストで形成されたフロントケース２、及びリアケース３と、フロントケース２とリアケース３とに挟持される防水用のパッキン４とで構成され、フロントケース２とリアケース３とはネジ５によって固定される。
【００１１】
図２はリアケース３と、これに固定されるワイヤーハーネス６の構造を示す前方から見た斜視図である。
リアケース３の背面には、ワイヤーハーネス６の先端に備えられたコネクタ６ａやリード線６ｂを挿通するための挿通孔３ａが設けられている。一方、ワイヤーハーネス６は、表面を塩化ビニールで保護されて断面が円形状に形成されており、このワイヤーハーネス６には、塩化ビニールからなる円筒形のケーブル保持部材６ｃが接着剤により固定されている。さらにこのケーブル保持部材６ｃとリード線６ｂの間にはシリコンゴムからなる防水パッキン７が配置されている。
この防水パッキン７は、ワイヤーハーネス６が挿通された円筒部７ａと、この円筒部７ａ側面の両端に、ネジ９を挿通する挿通孔７ｃを設けた板状の矩形部７ｂをそれぞれ備えている。
【００１２】
また、この防水パッキン７とケーブル保持部材６ｃとは、ケーブルを押さえて固定するための押さえ板８によって、リアケース３の背面にネジ９で固定される構造となっている。
この押さえ板８は、円弧状の円弧部８ａと、この円弧部８ａの両端にそれぞれ備えられている矩形状の押板部８ｃとで構成されている。そして円弧部８ａは、防水パッキン７の円筒部７ａとケーブル保持部材６ｃとの約半分の外周を覆い、また、押板部８ｃは、防水パッキン７の矩形部７ｂと対応しており、さらに、ネジ９を挿通する透孔８ｂが設けられている。
【００１３】
図３はリアケース３と、これに固定されるワイヤーハーネス６の構造を示す後方から見た斜視図である。
リアケース３の背面には、防水パッキン７と押さえ板８とを重ねて格納するための凹部３ｂが設けられており、この凹部３ｂの側面から底面に連なって、リアケース３の内部空間へ通じる挿通孔３ａが配置されており、この挿通孔３ａの凹部３ｂ側の出口の全周縁には突部３ｃが設けられている。
また、挿通孔３ａの出口両脇の凹部３ｂの底面には、ネジ９を螺着するためのネジ孔３ｄが設けられており、さらに、リアケース３の背面には、ワイヤーハーネス６と対応する断面円弧状の溝３ｅが設けられている。
【００１４】
以上の構成において、つぎにその組立を説明する。
まず、ケーブル保持部材６ｃにワイヤーハーネス６を挿通し、接着剤を用いてワイヤーハーネス６とケーブル保持部材６ｃとを所定の位置で固定する。
次に、コネクタ６ａ側からワイヤーハーネス６を防水パッキン７の円筒部７ａに挿通する。そして、コネクタ６ａとリード線６ｂを挿通孔３ａに挿通してリアケース３の内側の所定位置となるまで引き込む。続いて、防水パッキン７を凹部３ｂに落とし込み、同時にワイヤーハーネス６も溝３ｅに落とし込む。
そして、防水パッキン７の上から押さえ板８を重ねて、ネジ９を透孔８ｂ、挿通孔７ｃとにそれぞれ挿通させ、ネジ孔３ｄに螺着する。
【００１５】
次に、リアケース３の内面にあるコネクタ６ａを図１で示す基板ユニット１に接続し、基板ユニット１をリアケース３の内面に格納する。そして、フロントケース２とリアケース３とで防水用のパッキン４を挟持して４本のネジ５で２つのケースを固定する。
【００１６】
図４はこのように固定したケースの要部断面図である。押さえ板８が防水パッキン７を介してワイヤーハーネス６に固定されたケーブル保持部材６ｃをリアケース３に固定しており、ワイヤーハーネス６の先端のコネクタ６ａとリード線６ｂとは、挿通孔３ａを挿通してリアケース３の内部に配置されている。
前述のように挿通孔３ａの全周縁には突部３ｃが設けられており、この突部３ｃが防水パッキン７にくい込んでいるため、防水性を向上させることができる。
【００１７】
以上のように、リアケース３の背面からコネクタ６ａとリード線６ｂを挿通孔３ａに挿通し、防水パッキン７を凹部３ｂに落とし込み、押さえ板８を重ねて、ネジ９で固定するだけの単純な作業であるため作業性がよい。
また、防水パッキン７の矩形部７ｂの面積を押板部８ｃと凹部３ｂとに対応させて大きくすることにより、矩形部７ｂの周囲から挿通孔３ａまでの距離を長くすることができ、防水性を向上させることができる。
さらに、ワイヤーハーネス６とケーブル保持部材６ｃとの固定は、引っ張り強度のみが問題であり、特に防水性を考慮しなくともよいため、作業性が向上する。
また、リアケース背面とワイヤーハーネスとを平行に配置できるため、筐体の前後方向の寸法を小さくすることができる。
【００１８】
【発明の効果】
以上説明したように、本発明による防水カメラの筐体構造によれば、請求項１に係わる発明は、リアケースの背面に、側面から底面に連なって挿通孔が備えられた凹部を設け、同凹部に、ワイヤーハーネスが挿通され、挿通孔を一方の側面で覆い、凹部と対応する板状の矩形部を他方の両側面に備えた弾性体からなる防水パッキンが装着され、同防水パッキンが、凹部と対応する押さえ板と凹部の底面とで挟持されてリアケースの背面に固定される構造とすることにより、
取付け作業が容易となり作業性が向上する。また、防水パッキンの矩形部の面積を押板部と凹部とに対応させて大きくすることが容易なため、矩形部の周囲から挿通孔までの距離を長くして防水性を向上させることができる。
【００１９】
また、請求項２に係わる発明は、凹部側の挿通孔の全周縁に突部を設けることにより、突部が防水パッキンにくい込んで外部からの水の浸入を抑制し、防水性を向上させることができる。
【００２０】
また、請求項３に係わる発明は、ワイヤーハーネスに挿通されて固定されるとともに、防水パッキンに隣接してケーブル保持部材を配設し、同ケーブル保持部材と防水パッキンとが押さえ板でリアケースに固定される構造とすることにより、ワイヤーハーネスを確実にリアケースに固定することができる。また、ケーブル保持部材とワイヤーハーネスとは、防水性を考慮しなくともよいため、例えば接着作業などの作業性が向上する。
【００２１】
また、請求項４に係わる発明は、リアケースに、一端が凹部の側面に連なるとともに、ワイヤーハーネスと対応する溝を設けることにより、リアケース背面とワイヤーハーネスとを平行に配置できるため、筐体の前後方向の寸法を小さくすることができる。
【図面の簡単な説明】
【図１】本発明による防水カメラの筐体構造の一実施例を示す分解斜視図である。
【図２】本発明による防水カメラのリアケースと、これに固定されるワイヤーハーネスの構造を示す前方から見た斜視図である。
【図３】本発明による防水カメラのリアケースと、これに固定されるワイヤーハーネスの構造を示す後方から見た斜視図である。
【図４】本発明による防水カメラの筐体構造の一実施例を示す要部断面図である。
【図５】従来の防水カメラの筐体構造を示す分解斜視図である。
【符号の説明】
１  基板ユニット
２  フロントケース
２ａ  レンズカバー
３  リアケース
３ａ  挿通孔
３ｂ  凹部
３ｃ  突部
３ｄ  ネジ孔
３ｅ  溝
４  パッキン
５  ネジ
６  ワイヤーハーネス
６ａ  コネクタ
６ｂ  リード線
６ｃ  ケーブル保持部材
７  防水パッキン
７ａ  円筒部
７ｂ  矩形部
７ｃ  挿通孔
８  押さえ板
８ａ  円弧部
８ｂ  透孔
８ｃ  押板部
９  ネジ
【図１】
2004294612.tif 000003
【図２】
2004294612.tif 000004
【図３】
2004294612.tif 000005
【図４】
2004294612.tif 000006
【図５】
2004294612.tif 000007